(57)【特許請求の範囲】
【請求項１】
前面に開口を有する本体ケースと、前記開口に冷気エアーカーテンを形成するための吹出口及び吸込口と、この吸込口の上面には吸込板が設けられると共に、吸込口の前方に前記本体ケースの長手方向の略全幅に渡って設けられたハンドレールとを形成したオープンショーケースにおいて、前記本体ケース内に陳列された商品に関する情報を表示する表示具を係止可能なポップスタンドと、このポップスタンドを支持するポップスタンド支持部材と、前記ハンドレールの後部に略全幅に渡って形成された溝とを設け、ポップスタンド支持部材は一側面の幅がハンドレールの溝の開口の幅より小さく他側面の幅が溝の開口の幅より大きい直方体の溝挿入部を有し、この溝挿入部を上下方向にして溝に挿入すると共に、その後他側面を上下方向にしてポップスタンド支持部材を溝に取り付けることを特徴とするオープンショーケース。
【請求項２】
前記ポップスタンドはワイヤにて構成されると共に、表示具を支持するポップ支持部と、ポップ支持部を保持する脚部及び断面くの字状の折曲部が形成され、前記ポップスタンド支持部材は前記脚部が挿通される保持部を有し、脚部の下端がハンドレール又は吸込板に当接することを特徴とする請求項１のオープンショーケース。
【発明の詳細な説明】
【０００１】
【発明の属する技術分野】
本発明は、本体ケース内に陳列された商品に関する情報を表示する表示具を有するオープンショーケースに関するものである。
【０００２】
【従来の技術】
従来よりこの種オープンショーケースにおいては、例えば特開平９−９４１３９号公報に示される如く、底板に載置された商品のアピールを行うために高さの高い価格表示板（高さ略８０ｍｍ）がハンドレール上に載置されていると共に、吸込板に複数形成されたスリット孔に挿入されるワイヤにて形成された価格表示板支持部材は価格表示板の後部に設けられた支持部を支持するための価格表示板の上端と略平行に設けられた価格表示板支持部と、価格表示板支持部の両端より下方に延在して吸込口に複数形成されたスリット孔に当接する一対の起立部と起立部の下端より後方に数個のスリット孔上を横切るように広がる方向に載置される載置部と、載置部の後端より下方に延在し、上端が下端よりも後方に位置し下端が吸込ダクトの前面、つまり前壁に当接する第１の挿入部と、第１の挿入部の下端より下方に延在し上端が下端よりも前方に位置し下端が吸込ダクトの後面、つまり第２の仕切板に当接する第２の挿入部とを有している。
【０００３】
【発明が解決しようとする課題】
しかしながら、従来のオープンショーケースでは、吸込板の形状が一定でない上に、吸込口が１層のものと複数層のものがあり、それぞれ吸込板及びスリット孔の大きさ及び形状が異なるために、複数の種類の価格表示板支持部材が必要になってしまうといった欠点があった。
【０００４】
また、吸込板のスリット孔が存在しない部分には取り付けることができないといった欠点もあった。
【０００５】
本発明は、係る従来の技術的課題を解決するために成されたものであり、表示具をケース本体の長手方向の全幅に渡って自由な位置に着脱自在としたオープンショーケースを提供することを目的とする。
【０００６】
【課題を解決するための手段】
請求項１のオープンショーケースは、前面に開口を有する本体ケースと、前記開口に冷気エアーカーテンを形成するための吹出口及び吸込口と、この吸込口の上面には吸込板が設けられると共に、吸込口の前方に前記本体ケースの長手方向の略全幅に渡って設けられたハンドレールとを形成したオープンショーケースであって、前記本体ケース内に陳列された商品に関する情報を表示する表示具を係止可能なポップスタンドと、このポップスタンドを支持するポップスタンド支持部材と、前記ハンドレールの後部に略全幅に渡って形成された溝とを設け、ポップスタンド支持部材は一側面の幅がハンドレールの溝の開口の幅より小さく他側面の幅が溝の開口の幅より大きい直方体の溝挿入部を有し、この溝挿入部を上下方向にして溝に挿入すると共に、その後他側面を上下方向にしてポップスタンド支持部材を溝に取り付けたものである。
【０００７】
請求項１によれば、本体ケース内に陳列された商品に関する情報を表示する表示具を係止可能なポップスタンドと、このポップスタンドを支持するポップスタンド支持部材と、ハンドレールの後部に略全幅に渡って形成された溝とを設け、ポップスタンド支持部材は一側面の幅がハンドレールの溝の開口の幅より小さく他側面の幅が溝の開口の幅より大きい直方体の溝挿入部を有し、この溝挿入部を上下方向にして溝に挿入すると共に、その後他側面を上下方向にしてポップスタンド支持部材を溝に取り付けたことにより、表示具をケース本体の長手方向の全幅に渡って自由な位置に着脱自在に設けることができる。
【０００８】
請求項２のオープンショーケースは、請求項１において、前記ポップスタンドはワイヤにて構成されると共に、表示具を支持するポップ支持部と、ポップ支持部を保持する脚部及び断面くの字状の折曲部が形成され、前記ポップスタンド支持部材は前記脚部が挿通される保持部を有し、脚部の下端がハンドレール又は吸込板に当接するものである。
【０００９】
請求項２によれば、請求項１に加えて断面くの字状の折曲部を形成し、ポップスタンド支持部材は脚部が挿通される保持部を有し、脚部の下端がハンドレール又は吸込板に当接することにより、表示具等に前方又は上方より外力が加わった場合にも、ポップスタント及びポップスタンド支持部材等の破損を防止できる。
【００１０】
【発明の実施の形態】
以下、図面に基づき本発明の実施例を詳述する。
【００１１】
図１は、実施例のオープンショーケースの縦断側面図、図２はオープンショーケース１の腰部縦断側面図、図３は、オープンショーケース１の前方腰部斜視図、図４はオープンショーケース１の後方腰部斜視図、図５は、ポップスタンド支持部材３０の後部斜視図である。
【００１２】
本発明のオープンショーケース１は断面略コ字状の断熱壁２と、この断熱壁２の両端に取り付けられた図示しない側板とから構成されている。断熱壁２の底壁２Ａ上に冷気を循環させるための図示しない送風ファンが設けられ、断熱壁２の内側には間隔を存して金属製の第１の仕切板４Ａ及び第２の仕切板４Ｂが取り付けられ、第１の仕切板４Ａの内側を商品貯蔵室５、この第１の仕切板４Ａと第２の仕切板４Ｂとの間を第１の冷気通路６、第２の仕切板４Ｂと断熱壁２との間を第２の冷気通路７とし、第１の冷気通路６内には蒸発器８が設けられている。そして第１及び第２の冷気通路６、７の一端にはそれぞれ第１及び第２の吹出口９、１０が形成され、他端にはそれに伴う第１及び第２の吹出口９、１０の下方には吸込板２０に複数形成された冷気吸込用の孔２０Ａを有する吸込口１１が形成され、商品貯蔵室５の開口１２に上部の第１及び第２の吹出口９、１０より下部の吸込口１１に向かう２重のエアーカーテンを形成している。また、断熱壁２の前壁２Ｂ上端には、顧客が触れても安全なようにハンドレール２２が設けられている。
【００１３】
商品貯蔵室５内には、商品を陳列するためにブラケット１３に支持された複数段の棚１４及び下端には前後共に第１の仕切板４Ａに挿入されたワイヤラック２３と称されるワイヤを格子状接続したものに支持された底板１５が設けられている。また、棚１４の下面前部には下方の棚１４に陳列された商品を照らすための蛍光灯１６が設けられていると共に、第１の吹出口９の後方にも蛍光灯１７が設けられており、蛍光灯１６及び１７は同時に庫内蛍光灯として制御されている。更に、第２の吹出口１０の前方の反射板１８には庫内全域及び庫内周囲を照らす庫外蛍光灯１９が設けられている。
【００１４】
ハンドレール２２は、商品の価格等を表示するためのプライスカードを保持するための前面に上下に爪を備えたプライスレール部２５を有すると共に、後部に後述するポップスタンド支持部材３０の溝挿入部３３を収納するための溝２６を内部に形成すると共に、後面に上下片２９Ａ、２９Ｂを有し、上下片２９Ａ、２９Ｂの間を溝の開口２８とする断面コ字状の溝部２７を有し、プライスレール部２５と溝部２７の間に、必要に応じてガラスを設けるための空間２４を形成している。尚、本実施例のようにガラスを設けていない場合にはカバー５０が設けられていて、空間２４の上面を閉塞している。
【００１５】
ポップスタンド支持部材３０は、ポップスタンド４０を支持する円筒形の保持部３１と、ポップスタンド４０が貫通する貫通孔３２と、直方体の溝挿入部３３より構成され、溝挿入部３３の一側面３４の幅Ｗ１はハンドレール２２の溝の開口２８の幅より小さく、他側面３５の幅Ｗ２は溝の開口２８の幅より大きくしている。
【００１６】
ポップスタンド４０は、表示板５１を支持する表示板支持部４１と、表示板支持部４１より下方に延在し、前方にく字状に折曲された折曲部４２と、折曲部４２より下方に折曲されて、オープンショーケース１に取り付けられた状態で、保持部３１に保持されると共に、下端が吸込板２０に当接する脚部４３より構成されている。
【００１７】
以上の構成で、溝部２７にポップスタンド支持部材３０を取り付ける際に、ポップスタンド支持部材３０の溝挿入部３３の一側面３４を上下方向にして挿入する。その際に、一側面３４の幅Ｗ１は溝２８の幅よりも小さいので挿入することができる。その後、９０度回転して他側面３５を上下方向にすることにより、溝２８よりポップスタンド支持部材３０が抜けるのを防止できる。これにより、ポップスタンド支持部材３０を溝部２７に対して自由な位置に取り付けることができる。また、以上の操作で、ハンドレール２２にポップスタンド支持部材３０を固定した後、保持部３１内の貫通孔３２内に、ポップスタンド４０の脚部４３を挿入し、表示板保持部４１に表示板５１を取り付けることにより、表示部５１を取り付けることができる。
【００１８】
また、図２に示す如く、ポップスタンド保持部３０を取り付けた状態で、保持部３１の下端を溝部２７の下片２９Ｂの上端より上方になるように設けたことにより、吸込板２０を取り外す際に、吸込板２０の固定部材を外した状態で、ポップスタンド保持部３０を取り付けたまま、脚部４３を上方に持ち上げるだけで、吸込板２０を取り外すことができる。
【００１９】
更に、表示具５１の取り付け位置を変更する際に、これらの部材を取り付けたままで溝２６内をスライドさせることができる。
以上の構成により、表示具５１をケース本体の長手方向の全幅に渡って自由な位置に着脱自在に設けることができる。
【００２０】
また、ポップスタンド４０の折曲部４２を前方にく字状にし、脚部４３の下端を吸込板２０に当接させたことにより、表示具５１等に前方又は上方より外力が加わった場合にもポップスタント４０及びポップスタンド支持部材３０等の破損を防止できる。
【００２１】
【発明の効果】
請求項１によれば、本体ケース内に陳列された商品に関する情報を表示する表示具を係止可能なポップスタンドと、このポップスタンドを支持するポップスタンド支持部材と、ハンドレールの後部に略全幅に渡って形成された溝とを設け、ポップスタンド支持部材は一側面の幅がハンドレールの溝の開口の幅より小さく他側面の幅が溝の開口の幅より大きい直方体の溝挿入部を有し、この溝挿入部を上下方向にして溝に挿入すると共に、その後他側面を上下方向にしてポップスタンド支持部材を溝に取り付けたことにより、表示具をケース本体の長手方向の全幅に渡って自由な位置に着脱自在に設けることができる。
【００２２】
請求項２によれば、請求項１に加えて断面くの字状の折曲部を形成し、ポップスタンド支持部材は脚部が挿通される保持部を有し、脚部の下端がハンドレール又は吸込板に当接することにより、表示具等に前方又は上方より外力が加わった場合にも、ポップスタント及びポップスタンド支持部材等の破損を防止できる。
【図面の簡単な説明】
【図１】本発明の実施例のオープンショーケースの縦断側面図である。
【図２】オープンショーケース１の腰部縦断側面図である。
【図３】オープンショーケース１の前方腰部斜視図である。
【図４】オープンショーケース１の後方腰部斜視図である。
【図５】ポップスタンド支持部材３０の後部斜視図である。
【符号の説明】
１      オープンショーケース
２      断熱壁
１１    吸込口
１２    開口
２０    吸込板
２２    ハンドレール
２６    溝
２７    溝部
３０    ポップスタンド支持部材
３１    保持部
４０    ポップスタンド
４１    ポップ支持部
４２    折曲部
４３    脚部
５１    表示具
【図１】
0003913392.tif 000002
【図２】
0003913392.tif 000003
【図３】
0003913392.tif 000004
【図４】
0003913392.tif 000005
【図５】
0003913392.tif 000006